(57)【要約】【課題】　僅かな費用で分離要素の中に取り付けることができる、頑丈でコンパクトに構成された手動操作可能なロック装置を提供すること。【解決手段】　支持支持装置（１００）は、支持装置（２）を受容するための受容部材（４）を備え、支持装置によって、ロック解除位置とロック位置との間に移送可能であるロック要素（１４）が保持され、前記支持装置内で、ロック要素（１４）が、受容部材（４）の外側に固定配列された受容部（９１）にかみ合う。支持装置（２）は、ロック要素（１４）と操作用の頭部（１５）とを備えるレバー（１）を支持するために、このレバー（１）が回転可能に保持され、かつ少なくともロック解除位置に対する第１の位置に、必要に応じてロック位置に対応する第２の位置にも解除可能に固定できるようにされている。【選択図】　　　図５
2004100449.tif 000002
【特許請求の範囲】
【請求項１】
　回転可能に、および／または、側方に摺動可能に、支持される第１の分離要素（８ａ）、特にドア、ウィンドウ、隔壁、シャッタおよびカバー、をロックするための装置（１００）であって、
　支持装置（２）を受容するために使用される受容部材（４）を備え、支持装置（２）によってロック解除位置とロック位置との間に移送可能であるロック要素（１４）が保持され、支持装置（２）内でロック要素（１４）が受容部材（４）の外側に固定配列された受容部（９１）にかみ合うようにされている、ものにおいて、
　ロック要素（１４）と操作用の頭部（１５）とを備えるレバー（１）を支持するために、支持装置（２）が、前記レバーが回転可能に保持され、かつ、少なくともロック解除位置に対応する第１の位置に解除可能に固定できるように、されていることを特徴とする装置（１００）。
【請求項２】
　レバー（１）が、ロック位置に対応する第２の位置に解除可能に固定できることを特徴とする、請求項１に記載のロック装置（１００）。
【請求項３】
　支持装置（２）が支持体（２１）を備え、支持体（２１）は、シャフト（１１）によって、支持体（２１）の切欠き（２２）内に突出するレバー（１）の末端部（１６）と、結合されている、ことを特徴とする、請求項１または２に記載のロック装置（１）。
【請求項４】
　支持体（２１）の少なくとも１つの開口部（２３；２４）に、弾性要素（７）、好ましくは、ばね要素（７３；７４）によって支持されるボール（７１；７２）が設けられ、前記弾性要素（７）が、レバー（１）の第１または第２の位置において、レバー（１）の末端部（１６）に設けられた第１の窪部または第２の窪部（１２）に押し込まれることを特徴とする、請求項２に記載のロック装置（１００）。
【請求項５】
　ジャーナルまたはボルトの形態を備えるロック要素（１４）が、頭部（１５）の領域において第１の分離要素（８ａ）と反対側のレバー（１）の側面に、配列されることを特徴とする、請求項１〜４のいずれか１項に記載のロック装置（１００）。
【請求項６】
　頭部（１５）が、ロック装置（１）の取付け後に受容部材（４）から側方に突出し、これによって、手動、または、第２の分離要素（８ｂ）の受容部材（４）内に設けられた閉鎖装置（３）、によって把持され、必要に応じて動かされることができることを特徴とする、請求項１〜５のいずれか１項に記載のロック装置（１００）。
【請求項７】
　第２の分離要素（８ｂ）に配列された閉鎖装置（３）が、受容部材（４）に取り付け可能な組立体（３１）を備え、該組立体（３１）が、頭部（１５）を把持するために使用されるフォーク（３２）を備え、あるいは頭部（１５）が、第２の分離要素（８ｂ）の受容部材（４）の中に差し込み可能とされて前記受容部材に適合されることを特徴とする、請求項１〜６のいずれか１項に記載のロック装置（１００）。
【請求項８】
　フォーク（３２）が、必要に応じて解除可能な２つのフォークプレート（３２１、３２２）を備え、該フォークプレートが、上下に画定された少なくとも１つのガイドレール（３２０；３２０Ａ；３２０Ｂ）を備え、該ガイドレール内に頭部（１５）の案内要素（１９）が差し込み可能であることを特徴とする、請求項７に記載のロック装置（１００）。
【請求項９】
　傾斜状に延在するガイドレール（３２０、３２０Ａ）が設けられ、該ガイドレール内に頭部（１５）の案内要素（１９）が差し込み可能であり、また、両方の分離要素（８ａ、８ｂ）の相互の摺動時に、レバー（１）が第１および第２の位置の間に回転できるようにされ、および／または、真っ直ぐに延在するガイドレール（３２０Ｂ）が設けられ、前記案内要素が該ガイドレール内で摺動可能にされ、レバー（１）が第２のロック位置にある時に、頭部（１５）の案内要素（１９）が該ガイドレール内に差し込み可能である、ことを特徴とする請求項８に記載のロック装置（１００）。
【請求項１０】
　傾斜状に延在するガイドレールと真っ直ぐに延在するガイドレール（３２０Ａ、３２０Ｂ）が相互につながって形成され、案内要素（１９）が、傾斜状に延在するガイドレール（３２０Ａ）から真っ直ぐに延在するガイドレール（３２０Ｂ）の中に、あるいは、真っ直ぐに延在するガイドレール（３２０Ｂ）から傾斜状に延在するガイドレール（３２０Ａ）の中に移動される、ことを特徴とする請求項９に記載のロック装置（１００）。
【請求項１１】
　フォーク（３２）が設けられ、頭部（１５）がフォーク（３２）内に差し込み可能であり、かつ前記フォーク内で分離要素（８ａ、８ｂ）に対して垂直に延在する面で回転可能であるように、頭部（１５）およびフォーク（３２）が形成されることを特徴とする、請求項７〜１０のいずれか１項に記載のロック装置（１００）。
【請求項１２】
　頭部（１５）が楔状または球状に形成されることを特徴とする、請求項１１に記載のロック装置（１００）。
【請求項１３】
　レバー（１）および／または支持装置（２）、好ましくは支持体（２１）、および／または閉鎖装置（３）、好ましくは組立体（３１）が、少なくとも１つの減衰要素（１８；３４）を備えることを特徴とする、請求項１〜１２のいずれか１項に記載のロック装置（１００）。
【請求項１４】
　部屋の床部（９）、壁部、または、天井に設けられる、必要に応じてスリーブ（９２）を備えた、受容部（９１）にロック要素（１４）がかみ合うことができるように、ロック装置（１００）が第１の分離要素（８ａ）の側方の下部または上部の受容部材（４）に配列されることを特徴とする、請求項１〜１３のいずれか１項に記載のロック装置（１００）。
【請求項１５】
　レバー（１）が、必要に応じて、好ましくは、固定可能なボルト（５）によって第２の位置にロック可能であることを特徴とする、請求項１〜１４のいずれか１項に記載のロック装置（１００）。
【発明の詳細な説明】
【技術分野】
【０００１】
　本発明は、請求項１の上位概念による、回転可能におよび／または側方に摺動可能に支持されるドア、ウィンドウ、隔壁、シャッタおよびカバーのような１つまたは複数の分離要素を手動でロックするための装置に関する。
【背景技術】
【０００２】
　２つの分離要素を手動ロックするための装置が、例えば特許文献１から公知である。このロック装置では、ロックボルトは分離要素の側方に配列され、また別の分離要素の対向側面に配列されるレバーによって、床部に設けられたスリーブに手動で差し込み可能である。したがって、装置のロックは両方の分離要素の一体化を左右し、さらに、装置部分が互いに正確にかみ合うことができるように、分離要素を一平面に方向付けなければならない。したがって、閉鎖される分離要素は、ロック装置を受容するために適切に形成しなければならない。装置部分は、垂直に方向付けられた側方フレーム部分に一体化されるので、視覚的にほとんど見えない。したがって、すでに完成済みの分離要素内の装置の取付けは、ほとんど不可能であるかあるいは著しい費用を伴う。
【０００３】
　特許文献２には、スライドレール上で摺動可能に案内される受容部材を備えた分離要素をロックするための装置が記述されており、分離要素は、第１の分離要素の受容部材の内部に配列されたフォークと、第２の分離要素の受容部材に垂直に支持されたロックボルトを備え、ロックボルトは、両方の分離要素が出会う際に先端斜面を備えたフォークによって把持され、床部にはめ込まれた床スリーブに自動的に下方に押し込まれる。したがって、ロックボルトを備えた分離要素のロックは、本例の場合にも、両方の分離要素が出会う際にのみ可能であり、これによって自動的に行われる。特許文献２の装置の受容部材の内部に配列されたロックボルトの非自動操作は、用意されておらず、ほとんど不可能である。さらに、分離要素の自動ロックは、しばしば必要でないかあるいは全く望ましくない。さらに、ロックボルトは、通常、床スリーブ内への差し込みの際に、ロックボルトの支持内に運ばれかつロックボルトを汚染する汚れと接触する。この理由で、ロックボルトは、使用時間が長くなると挟まって動かなくなるか、もしくはより大きな力を加えないと移動できない。したがって、この種類の装置の場合、対応する維持費を考慮しなければならない。
【０００４】
　さらに、記述された装置の自動ロックは、比較的華奢な装置部分、例えば垂直に支持されたロックボルトと結合された随伴ピンを必要とし、これが追加の維持費用をもたらすことがある。
【０００５】
【特許文献１】ＤＥ１９５３８４８５Ｃ２
【特許文献２】ＥＰ０５３７１２１Ａ１
【特許文献３】ＷＯ００／５５４６０
【発明の開示】
【発明が解決しようとする課題】
【０００６】
　しがって、本発明の課題は、僅かな費用で分離要素の中に取り付けることができる、頑丈でコンパクトに構成された手動操作可能なロック装置を提供することである。
【０００７】
　特に、個々の分離要素または同様に２つ以上の分離要素、例えばドア、ウィンドウ、隔壁、シャッタ、カバー、または摺動棚壁部の要素をロックすることができるロック装置を提供しなければならない。
【０００８】
　さらに、ロック装置を備えた２つの分離要素は、それらが一平面に方向付けられない場合にも、ロック可能でなければならない。
【０００９】
　手動で操作可能なロック装置は、好ましい実施態様において自動的にも操作可能であるべきである。
【課題を解決するための手段】
【００１０】
　上記課題は、請求項１の特徴部分に記述された措置によって解決される。本発明の有利な実施態様は、以降の特許請求の範囲に記述されている。
【００１１】
　装置は、回転可能におよび／または側方に摺動可能に支持される分離要素、特にドア、ウィンドウ、隔壁、シャッタおよびカバーをロックするために使用され、前記分離要素は、支持装置を受容するために使用される受容部材を備え、前記支持装置によって、ロック解除位置とロック位置との間に移送可能であるロック要素が保持され、前記支持装置内で、ロック要素は、受容部材の外側に固定配列された受容部にかみ合う。
【００１２】
　本発明によれば、支持装置は、ロック要素と操作用の頭部とを備えるレバーを支持するために、このレバーが回転可能に保持され、かつロック解除位置に対する少なくとも第１の位置に、また必要に応じてロック位置に対応する第２の位置にも解除可能に固定されることができるように使用される。
【００１３】
　レバーの頭部は、ロック装置の取付け後に、分離要素の受容部材から側方に突出し、これによって、手動であるいは第２の分離要素の受容部材に設けられた閉鎖装置によって把持し、必要に応じて操作することができる。
【００１４】
　したがって、第１の好ましい実施態様のロック装置は、ロック要素の手動操作、したがってロック装置を備えた分離要素のみのロックを可能にする。
【００１５】
　当然、レバーの頭部は、ユーザによって、手のみならず足の動きによっても操作することができる。
【００１６】
　本発明の別の実施態様では、第２の分離要素は、レバーの頭部を受容するために使用される閉鎖装置を備える。したがって、第１の分離要素をロックすることができ、これによって第１の分離要素は、レバーの頭部が閉鎖装置によって、好ましくは閉鎖装置に配列されたフォークによって把持され、かつフォークのプレートの間に保持されるまで、第２の分離要素に対して移動される。
【００１７】
　別の好ましい実施態様では、フォークプレートは、傾斜状に延在する上下に画定された少なくとも１つのレールを備え、このレールの中に、レバーの頭部と結合された案内要素を差し込み可能であり、また両方の分離要素の相互の摺動時にレール内で摺動可能であり、レバーが第１の位置から第２の位置に、もしくは第２の位置から第１の位置に回転され、これによって第１の分離要素が自動的にロックまたはロック解除されるようにする。
【００１８】
　フォークプレートは、レバーが第１のロック解除位置または第２のロック位置にあるときに、両方の分離要素の出会いを可能にする２つのガイドレールを備えることが好ましい。
【００１９】
　さらに、フォークプレートおよびガイドレールの適切な選択によって、第２の分離要素が離れる際に、ロック装置は、分離要素の衝突の際のレバーの位置と無関係に、常に開くか、あるいは常に手動で開かれなければならないことが意図される。したがって、対応するフォークプレートの取付けによって、ユーザは、ロック装置をユーザの必要性に適応させることができる。
【００２０】
　したがって、ロック装置の手動操作とならんで、ロック装置の自動操作も可能である。
【００２１】
　レバーおよびそれに設けられた案内要素は、非常に頑丈に、必要に応じて一体に形成することができるので、ロック装置のほとんどメインテナンスフリーの運転を考慮できる。
【００２２】
　好ましくは支持体のレバーおよび／または支持装置、および／または好ましくは組立体の閉鎖装置は、ロック装置の別の好ましい実施態様では、少なくとも１つの減衰要素を備える。これによって、分離要素の衝突の際に発生する衝撃が吸収され、このため対応する騒音ならびに装置の負荷を低減することができる。さらに、弾性減衰要素を使用することによって、頭部および／またはフォークの有利な柔軟性が得られ、この結果、これらをより簡単に連結することができる。
【００２３】
　さらに、別の好ましい実施態様では、頭部が種々の方向からフォークに差し込み可能であり、フォーク内の分離要素に対して垂直に延在する面で回転可能であるように、レバーの頭部および閉鎖装置のフォークは形成される。したがって、ロック装置を備えた摺動可能な分離要素は、一平面に方向付けられない場合にも、曲がったガイドレールに摺動可能に支持し、また互いに結合およびロックすることができる。レバーの頭部は、例えば楔状または球状に形成することができる。
【００２４】
　ロック装置は、分離要素の任意の側面に受容部材内に種々の形態で配列することができるので、ロック要素は、スペースの床部、天井、または壁部に設けられる、必要に応じてスリーブを備えた受容部にかみ合うことができる。
【００２５】
　ロック装置を備えた分離要素は、閉鎖位置における分離要素の簡単な位置決めを可能にする動き止めを備えたスライドレールで案内されることが好ましく、前記閉鎖位置において、ロック要素は、部屋の床部、天井、または壁部に設けられる、必要に応じてスリーブを備えるかあるいはガイドレールとして形成された受容部にかみ合うことができる。
【００２６】
　受容部がガイドレールとして形成される限り、ガイドレール内に設けられたロック要素は、必要に応じて互いに連結された分離要素の縦方向案内のために使用され、同時に分離要素の回転を防止する。
【００２７】
　装置の望ましくないロック解除を阻止するために、第２の位置のロック装置のレバーは、例えば、分離要素の側面からのみ取り扱うことができるボルトによってロック可能である。
【発明を実施するための最良の形態】
【００２８】
　図面を参照して、本発明について以下に詳細に説明する。
【００２９】
　図１は、第１の分離要素８ａの受容部材４の中に取り付けられた本発明によるロック装置１００を示しており、ロック装置は、頭部１５とロック要素１４とを備えた、支持装置２によって回転可能に支持されるレバー１を備える。レバー１の頭部１５は、断面で示した受容部材４から側方に突出し、したがって手により手動で、同時に足で容易に把持かつ操作することができる。
【００３０】
　分離要素８ａの図示した位置において、シャフト１１によって支持装置２に結合されたレバー１を下方に回転することができ、この結果、レバー１の下側に配列されたロック要素１４は、床部９にはめ込まれたスリーブ９２によって形成される受容部９１の中に差し込まれる。
【００３１】
　ガラス板６または他の適切な材料を備えた分離要素８ａは、例えば、スライドレールに沿って摺動可能および必要に応じて同様に回転可能に支持されるスライドドアである。スライドレールには、受容部９１の領域において、用意された閉鎖位置に分離要素８ａを簡単に位置決めすることができるように、動き止めが設けられることが好ましい。分離要素の支持および位置決めの技術は、当業者に公知である（例えば、特許文献３参照）。
【００３２】
　図２は、図１のロック装置１００の部分を示しており、断面で示したレバー１はロック解除された第１の位置に解除可能に固定される。支持装置２は、受容部材４の中に差し込み可能でその内部寸法に適合された支持体２１を備え、支持体は、その中のねじ穴２９を通して案内可能な少なくとも１つの取付けねじによって固定できる。したがって、支持体２１は、簡単な措置によって、受容部材４の中に差し込み可能であり、また取付けねじによって適切な位置にロック可能である。さらに、支持体２１は、レバーに向けられた側部プレート２６、２７を備え、それらの間に、レバー１の末端部１６を受容するために使用される切欠き２２が設けられる。側部プレート２６、２７は、レバー１と同様に孔２５を備え、この孔を通してシャフト１１が案内され、この結果レバー１および受容部材４に取り付けられた支持体２１は、分離要素８ａ対して平行に延在する面で互いに向かい合って回転可能である。
【００３３】
　レバー１を第１のロック解除位置に、ならびに好ましくは図２に示した第２のロック位置に、解除可能に固定するために、支持体２１の孔２３、２４に弾性要素７が設けられ、レバー１の対応する位置においてレバー１の末端部１６内の窪部１２に押し込まれる。図２と図３に示した態様では、弾性要素７はボール７１、７２から構成され、ばね要素７３、７４によってレバー１に対して押される。
【００３４】
　図３と図４は、装置１００がロックされる第２の位置で、弾性要素７によって固定されたレバー１を示している。
【００３５】
　図４には、第１の分離要素８ａの受容部材４から側方に突出する、レバー１の操作用の頭部１５が、第２の分離要素８ｂの受容部材４の中に差し込み可能であることがさらに示されている。この場合、頭部１５は、好ましくは第２の分離要素８ｂに適合されるので、頭部を受容部材４に容易に差し込むことが可能であり、また第２の分離要素８ｂが第１の分離要素８ａに向かって完全に移動されると、受容部材をほとんど遊びなしに保持することが可能である。したがって、第１の分離要素８ａのロック後、第２の分離要素８ｂを第１の分離要素８ａに向かって移動することができるので、第１の分離要素も回転不能に保持される。
【００３６】
　図５には、レバー１の操作用の頭部１５が、第２の分離要素８ｂの受容部材４に配列される閉鎖装置３に差し込まれることが示されている。好ましくは使用可能な閉鎖装置３は、次に説明するように、必要に応じてより柔軟な改良された頭部１５の保持を可能にする。
【００３７】
　閉鎖装置３は、支持体２１のように受容部材４の中に差し込み可能であり、かつ組立体３１内に設けられたねじ穴３３を通して導入可能な少なくとも１つの取付けねじによって受容部材内にロック可能である組立体３１を備える。取付けねじは、前面に、受容部材４の中に確動結合によりねじ込まれる例えばくぼみ先を備え、この結果、支持体２１および組立体３１がロックされ、また摺動不能に保持される。さらに、支持体２１および組立体３１は、それらの下側にエッジを備えることができ、このエッジは、取付けねじを締め付けることによって受容部材４の中に進入する。前面において、レバー１に向かって、組立体３１にフォーク３２が設けられ、このフォークによってレバー１の頭部１５が部分的に包囲かつ保持される。
【００３８】
　図５には、フォーク３２の上方において切欠きが受容部材４の内部に空けられ、この切欠き内に、頭部１５のより幅広の上方部分１５１が差し込み可能であることが、さらに示されている。
【００３９】
　図６は、前面において、受容部材４を有する第１の分離要素８ａを示しており、この受容部材はＨ字状に形成され、したがって、例えばガラス板６を受容するための上部チャネル４１と、支持体２１または組立体３１を受容するための下部チャネル４２を備えている。
【００４０】
　図７は、受容部材４の中に差し込まれた支持体２１と、第１のロック解除位置に固定されたレバー１とを有する分離要素８ａを示している。この位置において、第１のチャネル４１の高さに存在するレバー１の頭部１５は、閉鎖装置３に差し込み不可能である。閉鎖装置３への頭部１５の差し込みがレバー１の位置と無関係に可能であるならば、頭部１５は下方に移動され、またその受容のために設けられたフォーク３２は対応して適合される。
【００４１】
　図８は、受容部材４の中に差し込まれた支持体２１と、図３に示した位置のレバー１とを有する分離要素８ａを示しており、この位置において、ロック要素１４は、床部９に配列されかつスリーブ９２を備える受容部９１にかみ合う。
【００４２】
　開放に関してのみ分離要素８ａが回転によってロックされなければならない場合、受容部９１は、案内溝９３によっても形成でき、この案内溝に沿って分離要素８ａが摺動可能に支持される。ロック要素１４は、この場合、分離要素８ａの下部案内のために使用でき、レバー１を持ち上げた後に分離要素を回転することができる。
【００４３】
　図９、図１０および図１１に示したように、頭部１５およびフォーク３２は、分離要素８ａ、８ｂに対して垂直に延在する面で互いに向かい合って回転可能であるように形成されることが好ましい。したがって、第２の分離要素８ｂは、それが一平面において第１の分離要素と共に方向付けられていない場合にも、第１の分離要素８ａに向かって案内され、また第１の分離要素と共にロックすることができる。
【００４４】
　図９は、下から見て、取付けねじ２８、３８によって対応する受容部材４にロックされた支持および組立体２１、３１を有する互いに斜めに位置する両方の分離要素８ａ、８ｂを示している。両方の分離要素８ａ、８ｂは、フォーク３２の中に移動された頭部１５によって互いに回転不能に連結される。
【００４５】
　図１０は、別の弾性要素、特に減衰要素１８、３４を備えるレバー１および閉鎖装置３を示しており、前記要素によって、当該装置部分の衝突および連結の際に発生する衝撃が減衰される。
【００４６】
　レバー１内で別の弾性要素、必要に応じて減衰要素１８、３４を使用する場合、支持装置２または支持ブロック３の頭部１５およびフォーク３２の柔軟性が得られ、この結果、その都度やさしくかつ騒音発生を低減して連結プロセスを達成することができ、これによって、維持のための費用がさらに低減される。このことは、互いに連結された分離要素８ａ、８ｂが移動され、また床部９にはめ込まれたガイドレール９３によって案内される場合にも特に有利であり、このガイドレールは、この場合に縦方向案内および側方ロックのために設けられたロック要素１４用の受容部９１として使用される。したがって、このように連結されかつ案内される分離要素８ａ、８ｂは、湾曲した通路に沿って問題なく移動することができる。
【００４７】
図１０には、組立体３１と結合された２つのフォークプレート３２１、３２２によってフォーク３２が形成され、フォークプレートの間に頭部１５を差し込むことができることがさらに示されている。
【００４８】
　図１１は、フォーク３２として形成された閉鎖装置３の前部３２を概略的に示しており、この前部は、対応して形成された頭部１５を２つの異なる方向から把持することができる。このために、頭部１５は楔または平行四辺形の形状を有し、この結果、頭部を種々の方向からフォーク３２に差し込み可能である。頭部１５は、例えば、垂直に位置するシリンダまたは球の形状も備えることができる。
【００４９】
　図１１に示した好ましい実施態様では、案内要素１９は頭部１５をさらに備え、この頭部によって、図１２と図１３に示したように、装置１００の自動ロックが可能である。
【００５０】
　図１２と図１３は、フォーク３２を有する別の好ましい実施態様の閉鎖装置３を示しており、そのフォークプレート３２１、３２２は、レバー１の頭部１５の両側に設けられた案内要素１９の受容および案内のために使用される両側に画定されたガイドレール３２０を備える。レバー１の頭部１５はより深く置かれるので、頭部は、レバー１の両方の位置で、受容部材の下部チャネル４２の高さにそれぞれ位置する。
【００５１】
　図１２は、第１のロック解除位置のレバー１を示しており、この位置で、レバーは手動で、あるいは次に説明するように閉鎖装置３によって、装置１００がロックされる第２の位置に回転される。第１の位置において、頭部１５は、その案内要素１９がガイドレール３２０の入口開口部３２４の高さに位置し、かつ両方の分離要素８ａ、８ｂの共同摺動の際に分離要素内に差し込まれ、ガイドレール３２０に沿って移動されるように方向付けられ、これによってレバー１が第２の位置に回転される。
【００５２】
　図１３は、ロックされた第２の位置のレバー１を示している。分離要素８ａ、８ｂの離間移動によって、案内要素１９はガイドレール３２０に沿って再び上方に移動され、これによって装置１００がロック解除される。
【００５３】
　したがって、レバー１を第２の位置にロックすることによって、装置１００がロック解除されることを防止することができる。したがって、両方の分離要素８ａ、８ｂは回転不能のままであり、また摺動不可に保持される。レバー１のロックは、例えば、図１３に示したように、第２の位置に存在するレバー１のリブ１７上方でレバーに向かって案内されるボルト５によって行われる。
【００５４】
　好ましい実施態様では、リブ１７の下方に斜面１７１が設けられ、これによって、スプリングによって支持されたボルト５が、レバー１を引き下げる際にロック位置に自動的に移動される。ボルト５を引き戻すことによって、レバー１は再び解除される。レバー１の自動ロックを阻止するために、ボルト５は、好ましくはその側で引き込まれた位置にロックされることが好ましく、これは簡単な措置によって可能である。例えば、スリット４４が受容部材内に設けられ、このスリットを通して、ボルト５と結合された横断部材が引かれ、次に回転され、したがって固定することができる。
【００５５】
　頭部１５は、再び、頭部が種々の方向からフォーク３２に差し込まれるように形成される。
【００５６】
　図１４は、組立体３１を有する閉鎖装置３を示しており、この組立体に、例えば、組立体３１およびフォークプレート３２１、３２２内の孔３９、３２５を通して案内されるねじによって２つのフォークプレート３２１、３２２を取り付けることが可能である。フォークプレート３２１、３２２は、外側で閉じたガイドレール３２０Ａ、３２０Ｂを備え、このガイドレールにより、第１および第２の位置におけるレバー１の頭部１５の導入が可能である。したがって、ロックされない第１の分離要素８ａは、この態様において、上述のように、案内要素１９を上部ガイドレール３２０Ａに導入することによってロックすることができる。さらに、第１の分離要素８ａをロックすることができ、これによって、案内要素１９は、第２の分離要素８ｂの移動の際に下部ガイドレール３２０Ｂに差し込まれる。
【００５７】
　両方のガイドレール３２０Ａ、３２０Ｂの適切な形成によって、案内要素１９を常にガイドレール３２０Ｂからガイドレール３２０Ａに移動するか、もしくはガイドレール３２０Ａに導入した後にその中に留まるようにすることができる。さらに、案内要素１９を常にガイドレール３２０Ａからガイドレール３２０Ｂに移動するか、もしくはガイドレール３２０Ｂに導入した後にその中に留まるようにすることができる。
【００５８】
　図１４は、下部ガイドレール３２０Ｂが、レバー１を弾性的に下方に案内することを示しており、案内要素１９は、上部ガイドレール３２０Ａに達した際に跳ね上がることができ、上部ガイドレールによってさらに案内される。図１５では、案内要素１９は、ガイドレール３２０Ａによって下方にガイドレール３２０Ｂ内に案内され、このガイドレール内に留まる。
【００５９】
　したがって、図１４のガイドレール３２０Ａ、３２０Ｂの態様によって、第１の分離要素８ａは、第２の分離要素８ｂを離れる際に、常に自動的にロック解除される。図１５のガイドレール３２０Ａ、３２０Ｂの態様によって、第１の分離要素８ａは、第２の分離要素８ｂを離れる際に、自動的にロック解除されず、手動でロック解除しなければならない。
【００６０】
　図１６と図１７は、上および前から見た、取り付けられたフォークプレート３２１、３２２を有する閉鎖装置３を示している。
【００６１】
　好ましい実施態様により、本発明によるロック装置１について説明しかつ図示した。しかし、本発明による教示に基づき、さらなる専門的な実施態様が実現可能である。特に、装置部分、特にレバー１およびフォーク３２、ならびに弾性要素７または減衰要素１８、３４の種々の実施態様および寸法が選択可能である。さらに、その製造のために種々の製造材料、プラスチックおよび金属が利用可能である。
【図面の簡単な説明】
【００６２】
【図１】第１の分離要素８ａの受容部材４の中に取り付けた本発明によるロック装置１００であり、ロック装置は、支持体２１に回転可能に支持される、頭部１５とロック要素１４とが設けられたレバー１を備える。
【図２】レバー１によって第１の位置に固定されている、図１のロック装置１００のロック解除された部分図である。
【図３】レバー１によって第２の位置に固定されている、図１のロック装置１００のロックされた部分図である。
【図４】図１のロックされたロック装置１００であり、レバー１の頭部１５は、第２の分離要素８ｂの受容部材４の中に差し込まれている。
【図５】図１のロックされたロック装置１００であり、レバー１の頭部１５は、第２の分離要素８ｂの受容部材４に配列された閉鎖装置３の中に差し込まれている。
【図６】ロック装置１００なしの受容部材４を有する分離要素８ａである。
【図７】ロック装置１００と図２に示した位置のレバー１とを有する受容部材４を有する分離要素８ａである。
【図８】ロック装置１００と図３に示した位置のレバー１とを有する受容部材４を有する分離要素８ａであり、ロック要素１４は、床部９に配列された、スリーブ９２を備えるかまたはガイドレール９３によって形成された受容部９１にかみ合う。
【図９】互いにに斜めに位置し、また第２の分離要素８ｂの受容部材４に設けられた閉鎖装置３にかみ合うレバー１によって連結かつロックされる下から見た第１および第２の分離要素８ａ、８ｂである。
【図１０】減衰要素１８、３４を備えるレバー１および閉鎖装置３である。
【図１１】安定した案内要素１９を備えたレバー１の頭部１５を２つの種々の方向から把持するフォーク３２として形成された閉鎖装置３の前部の概略図である。
【図１２】ガイドレール３２０を備えた閉鎖装置３のフォーク３２であり、ガイドレールは、それによって自動的に操作可能な、ならびにボルト５によってロック可能なレバー１の受容および案内に使用される。
【図１３】ロックされ、またボルト５によってロックかつ確保される図１２のロック装置１００である。
【図１４】２つのフォークプレート３２１、３２２を取付け可能な支持体３１を有する閉鎖装置３である。
【図１５】好ましい実施態様のフォークプレート３２１である。
【図１６】取り付けられたフォークプレート３２１、３２２を有する上から見た閉鎖装置３である。
【図１７】取り付けられたフォークプレート３２１、３２２を有する前から見た図１６の閉鎖装置３である。
【符号の説明】
【００６３】
１…レバー
１１…シャフト
１２…末端部１６の窪部
１３…シャフト１１を受容するための孔
１４…ロック要素
１５…頭部
１５１…頭部１５の上方部分
１６…末端部
１７…リブ
１７１…斜面
１８…レバーｌの減衰要素
１９…案内要素
２…支持装置
２１…支持体
２２…切欠き
２３、２４…支持体２１の開口部
２５…シャフト１１を受容するための孔
２６、２７…側部プレート
２８…取付けねじ
２９…取付けねじ２８を受容するためのねじ穴
３…閉鎖装置
３１…組立体
３２…フォーク
３２０…ガイドレール
３２０Ａ…上部ガイドレール
３２０Ｂ…下部ガイドレール
３２１、３２２…フォークプレート
３２４…ガイドレール３２０の入口開口部
３２５…フォークプレート３２１、３２２の孔
３３…取付けねじ３８を受容するためのねじ穴
３４…組立体３１の減衰要素
３８…取付けねじ
３９…組立体３１の孔
４…受容部材
４１…受容部材４の上方チャネル
４２…受容部材４の下方チャネル
４４…スリット
５…ボルト
６…ガラス板
７…弾性要素
７１、７２…ボール
７３、７４…ばね要素
８ａ、８ｂ…第１および第２の分離要素
９…床部
９１…受容部
９２…受容部９１として使用されるスリーブ
９３…受容部９１として使用されるガイドレール
１００…ロック装置
【図１】
2004100449.tif 000003
【図２】
2004100449.tif 000004
【図３】
2004100449.tif 000005
【図４】
2004100449.tif 000006
【図５】
2004100449.tif 000007
【図６】
2004100449.tif 000008
【図７】
2004100449.tif 000009
【図８】
2004100449.tif 000010
【図９】
2004100449.tif 000011
【図１０】
2004100449.tif 000012
【図１１】
2004100449.tif 000013
【図１２】
2004100449.tif 000014
【図１３】
2004100449.tif 000015
【図１４】
2004100449.tif 000016
【図１５】
2004100449.tif 000017
【図１６】
2004100449.tif 000018
【図１７】
2004100449.tif 000019